(57)【要約】【課題】  ソケットを接続対象物に接続するとき、各端子が過度に変形し難く、しかも、各端子がハウジングから抜け出し難い、２つの接続対象物間を接続するソケットを提供する。【解決手段】  ソケット１の主体となる略円柱状のハウジング２には、その円周面の下部に一対の端子用突出部２ａが対称位置に突出して形成される。ハウジングの上端面には、一対のリード端子用突出部２ｂが対称位置に突出して形成される。各端子用突出部の中央には、ハウジングの円周面の接線方向に金属端子６の一部を挿入するための溝２ａ１が形成される。各リード端子用突出部の中心からハウジングの下面まで、ランプのリード端子が挿通される貫通孔２ｄが形成される。金属端子は、中央部６ａと、半田付け用孔６ｂと、弾性はり部６ｃと、第１固定部６ｄと、第２固定部６ｅとから構成される。弾性はり部の先端付近には、一方の接続対象物に接続する接触部６ｃ１が突出するように形成される。【選択図】  図２
2007242277.tif 000002
【特許請求の範囲】
【請求項１】
２つの接続対象物間を接続するソケットにおいて、
前記ソケットは、一対の端子と、前記一対の端子を保持するハウジングとを有し、
前記各端子は、一方の接続対象物と接続する接触部が設けられているばね部と、他方の接続対象物と接続する端子部と、前記ハウジングに保持される固定部とを有し、
前記ハウジングは、略円柱状に構成され、円周面から半径方向に突出する一対の突出部を有し、
前記各突出部は、前記ばね部が挿入される溝を有し、
前記ソケットは、前記一方の接続対象物とは前記ソケットを回転させることにより接続し、
前記各端子は、前記ソケットの回転方向又は反回転方向のいずれか一方から前記各突出部に挿入されて保持され、かつ、前記各ばね部は、前記ソケットの回転方向又は反回転方向のいずれか一方に延出することを特徴とするソケット。
【請求項２】
前記ハウジングは前記他方の接続対象物の各リード端子が挿通される一対の貫通孔を有し、前記各端子部は前記各リード端子が挿通される挿入孔を有し、前記各貫通孔と前記各挿入孔とは合致することを特徴とする請求項１記載のソケット。
【発明の詳細な説明】
【技術分野】
【０００１】
本発明は、２つの接続対象物（一例としてランプと基板）間を接続するソケットに関する。
【背景技術】
【０００２】
第１の従来の技術として、ウエッジ・ベース・ランプと呼称されている無口金電球用ソケットについて説明する（例えば、特許文献１参照。）。
【０００３】
図９は、ハウジング２２に端子２３が保持される前のソケット２１の斜視図である。
【０００４】
ソケット２１は、ハウジング２２と一対の端子２３とから基本的に構成される。ハウジング２２には、各端子２３を収納すると共にランプのベースを挿入する凹部２２ａが設けられ、更に、一対のバヨネット爪２２ｂと一対のベースフランジ２２ｃが設けられている。
【０００５】
一端側が略Ｕ字状に形成される各端子２３の他端側から接触片２３ａが延長するように形成される。接触片２３ａは、バヨネット爪２２ｂに臨む。
【０００６】
バヨネット爪２２ｂの基板３１に接する側である下面２２ｂ１と側面２２ｂ２に接触片２３ａを沿うように、接触片２３ａに折曲加工を施す。
【０００７】
ソケット２１の基板３１への装着について説明すると、まず、ソケット２１を基板３１の開口部３１ａに下側から挿入する。次に、ソケット２１を若干の角度左回転すると、各接触片２３ａは、それぞれ基板３１の各給電部３２と接続する。
【０００８】
第２の従来の技術として、小型ランプ用ソケットについて説明する（例えば、特許文献２参照。）。
【０００９】
図１０〜図１２に示されるように、ソケット４１は、ハウジング４２と、ハウジング４２に取り付けられる一対の端子４３とから構成される。
【００１０】
各端子４３は、舌片４３ａと挿入支持片４３ｂとからなり、両挿入支持片４３ｂ相互が連結部４３ｃを介して一体に形成され、所定形状に折曲された後、連結部４３ｃが切除され、ハウジング４２に取り付けられる。
【００１１】
各挿入支持片４３ｂの側縁には、係止爪４３ｂ１が切り起こされ、舌片４３ａの基端には、ばね部４３ａ１が折曲形成されていると共に孔４３ａ２が設けられる。
【００１２】
小型ランプ５１の各リード端子５２が各孔４３ａ２から挿入されて各挿入支持片４３ｂの外側面にスポット溶接により溶着されて、各端子４３は小型ランプ５１と一体となる。
【００１３】
小型ランプ５１はソケット４１のハウジング４２に固定され、ハウジング４２はプリント基板５６の取付孔５６ａに挿入後に回転されて固定される。一対の舌片４３ａは、取付孔５６ａの周縁に設けられている一対の電極に接続するので、小型ランプ５１とプリント基板５６の導通が図られる。
【００１４】
【特許文献１】特開平７−８５９３５号公報
【特許文献２】特開昭６１−２１１９７４号公報
【発明の開示】
【発明が解決しようとする課題】
【００１５】
前記第１の従来の技術では、各端子２３にランプ（図示せず）のリード端子が挿入抜出される方向と、各端子２３とハウジング２２との組立方向とが同じため、各端子２３がハウジング２２から抜け出る恐れがある。
【００１６】
前記第２の従来の技術では、各端子４３は、ハウジング４２の中心から半径方向に弾性はりが延びるように構成されている。したがって、ハウジング４２を回転させてプリント基板５６に装着するとき、各端子４３は、円周方向に荷重を受けるため、変形し易いという支障が生じる。
【００１７】
そこで、本発明は、前記両従来の技術の欠点を改良し、ソケットを接続対象物に接続するとき、各端子が過度に変形し難く、しかも、各端子がハウジングから抜け出し難い、２つの接続対象物間を接続するソケットを提供しようとするものである。
【課題を解決するための手段】
【００１８】
本発明は、前記課題を解決するため、次の手段を採用する。
【００１９】
１．２つの接続対象物間を接続するソケットにおいて、前記ソケットは、一対の端子と、前記一対の端子を保持するハウジングとを有し、前記各端子は、一方の接続対象物と接続する接触部が設けられているばね部と、他方の接続対象物と接続する端子部と、前記ハウジングに保持される固定部とを有し、前記ハウジングは、略円柱状に構成され、円周面から半径方向に突出する一対の突出部を有し、前記各突出部は、前記ばね部が挿入される溝を有し、前記ソケットは、前記一方の接続対象物とは前記ソケットを回転させることにより接続し、前記各端子は、前記ソケットの回転方向又は反回転方向のいずれか一方から前記各突出部に挿入されて保持され、かつ、前記各ばね部は、前記ソケットの回転方向又は反回転方向のいずれか一方に延出するソケット。
【００２０】
２．前記ハウジングは前記他方の接続対象物の各リード端子が挿通される一対の貫通孔を有し、前記各端子部は前記各リード端子が挿通される挿入孔を有し、前記各貫通孔と前記各挿入孔とは合致する前記１記載のソケット。
【発明の効果】
【００２１】
明細書の説明から明らかなように、本発明は、次の効果を奏する。
【００２２】
１．ソケットが回転して一方の接続対象物と接続するとき、各端子のばね部はハウジングの円周方向に延出しているため、変形し難い。
【００２３】
２．ハウジングへの各端子の挿入抜出方向と、他方の接続対象物の各リード端子の挿入抜出方向とが直交するので、相互に影響を及ぼされることがなく、各端子の無用の抜出が防止される。
【発明を実施するための最良の形態】
【００２４】
本発明の一実施例のソケットについて説明する。
【実施例１】
【００２５】
本発明の実施例１について図１〜図８を参照して説明する。図１は、ソケットの斜視図であり、図２は、ソケットのハウジングに一対の金属端子が保持される前の斜視図である。
【００２６】
ソケット１の主体となる略円柱状のハウジング２には、その円周面の下部に一対の端子用突出部２ａが対称位置に突出して形成されている。また、ハウジング２の上端面には、一対のリード端子用突出部２ｂが対称位置に突出して形成されている。更に、ハウジング２の上端面の中央には、固定用ねじを挿通するために孔２ｃが形成されている。
【００２７】
各端子用突出部２ａの中央には、ハウジング２の円周面の接線方向に金属端子６の一部を挿入するための溝２ａ１が形成されている。また、各リード端子用突出部２ｂの中心からハウジング２の下面まで、ランプ１１（図８参照）のリード端子１２が挿通される貫通孔２ｄが形成されている。
【００２８】
各金属端子６は、金属板材の打抜きと折曲により製作される。金属端子６は、中央部６ａと、中央部６ａに形成されている半田付け用孔６ｂと、中央部６ａの一端部に折曲形成されている弾性はり部（ばね部）６ｃと、弾性はり部６ｃの根元の第１固定部６ｄと、中央部６ａの他端部に形成されている第２固定部６ｅとから構成される。弾性はり部６ｃの先端付近には、接触部６ｃ１が突出するように形成される。なお、一対の金属端子６は、同一形状に形成される。
【００２９】
図３は、ソケット１の裏面側から見た斜視図であり、図４は、両金属端子６が保持される前のソケット１の裏面側から見た斜視図である。
【００３０】
各端子用突出部２ａの裏面の一方側と他方側には、それぞれ金属端子６の両側を挟持するための第１張出部２ａ２と第２張出部２ａ３が形成されている。
【００３１】
図４において、各金属端子６をそれぞれ各端子用突出部２ａに装着すると、図３に示される状態に至る。この際、各金属端子６の弾性はり部６ｃ、中央部６ａの一端側、中央部６ａの他端側は、それぞれ各端子用突出部２ａの溝２ａ１の内、第１張出部２ａ２の下、第２張出部２ａ３の下に挿入される。また、各金属端子６の半田付け用孔６ｂは、ハウジング２の貫通孔２ｄと合致する。
【００３２】
図５は、ソケットの断面図であり、ハウジング２の下部の中央は、破断して示されているので、金属端子６の一部が現われている。
【００３３】
図６は、図５における線Ａ−Ａによる矢印方向に見た断面図である。ただし、金属端子６は、ハウジング２に装着されていない。
【００３４】
図７は、ソケットの断面図であり、ハウジング２に両金属端子６が装着されている。
【００３５】
図８は、ランプ１１がソケット１に装着されている状態の断面図である。ランプ１１は、ベース１３に取り付けられ、ランプ１１の各リード端子１２は、ベース１３を貫通している。ソケット１は、ねじ１６によりベース１３に固定される。ランプ１１の各リード端子１２は、ソケット１のハウジング２の各貫通孔２ｄを貫通し、更に、各金属端子６の半田付け用孔６ｂを貫通して半田１８により各金属端子６に半田付けされる。
【００３６】
なお、ベース１３に設けられている一対の挿入孔１３ａをハウジング２の一対のリード端子用突出部２ｂに、それぞれはめ込むと、容易に、かつ、確実に、ランプ１１をソケット１に装着することができる。
【００３７】
図８，９（第１の従来の技術を借用する。）を参照して、ソケット１の基板３１への装着について、説明する。
【００３８】
基板３１の開口部３１ａへソケット１を挿入し、回転させて基板３１の電極と金属端子６とを接続させる。この際、ベース１３と端子用突出部２ａとで基板３１を挟むようになり、ソケット１が基板３１へ保持される。
【００３９】
本実施例１においては、各金属端子６の接触部６ｃ１は一方の接続対象物の接触部に所定の圧力で接続すれば足りるので、弾性はり部６ｃを他の適宜の形状・構造のばね部に設計変更しても、所期の目的を達成することができる。
【図面の簡単な説明】
【００４０】
【図１】本発明の実施例１のソケットの斜視図である。
【図２】同ソケットのハウジングに一対の金属端子が保持される前の斜視図である。
【図３】同ソケットの裏面側から見た斜視図である。
【図４】同ソケットの同ハウジングに同金属端子が保持される前の裏面側から見た斜視図である。
【図５】同ソケットの断面図である。ただし、同ハウジングの下部中央は、破断して示されている。
【図６】図５における線Ａ−Ａによる矢視方向に見た断面図である。
【図７】同ソケットの断面図である。
【図８】ランプが同ソケットに装着されている状態の断面図である。
【図９】第１の従来の技術のウエッジ・ベース・ランプ用ソケットのハウジングに端子が保持される前の状態と基板の斜視図である。
【図１０】第２の従来の技術の小型ランプ用ソケットにおける一対の端子の正面図と断面図の折半図である。
【図１１】同端子に小型ランプが接続された状態の正面図である。
【図１２】同ソケットが同小型ランプとプリント基板を接続した状態の正面図と断面図の折半図である。
【符号の説明】
【００４１】
１  ソケット
２  ハウジング
２ａ  端子用突出部
２ａ１  溝
２ａ２  第１張出部
２ａ３  第２張出部
２ｂ  リード端子用突出部
２ｃ  孔
２ｄ  貫通孔
６  金属端子
６ａ  中央部
６ｂ  半田付け用孔
６ｃ  弾性はり部（ばね部）
６ｃ１  接触部
６ｄ  第１固定部
６ｅ  第２固定部
１１  ランプ
１２  リード端子
１３  ベース
１３ａ  挿入孔
１６  ねじ
１８  半田
【図１】
2007242277.tif 000003
【図２】
2007242277.tif 000004
【図３】
2007242277.tif 000005
【図４】
2007242277.tif 000006
【図５】
2007242277.tif 000007
【図６】
2007242277.tif 000008
【図７】
2007242277.tif 000009
【図８】
2007242277.tif 000010
【図９】
2007242277.tif 000011
【図１０】
2007242277.tif 000012
【図１１】
2007242277.tif 000013
【図１２】
2007242277.tif 000014